(57)【要約】【課題】液晶層の電位を制御する画素電極に電位を与えるコンタクトホールでは、段差があるため配向性が乱れている。そのためコンタクトホールは通常ブラックマトリックス等により隠されているが、この場合でもコンタクトホールの配向性の乱れと横電界との組み合わせにより、液晶層の配向性に乱れが生じるという課題がある。プロセスを追加することで、この乱れを抑えると、今度は工程増によるコストアップや歩留まりの低下という別の課題が生じる。【解決手段】画素電極１２１に突出部１２５を設け、そこにコンタクトホール１８の少なくとも一部を収めるようにした。コンタクトホール１８から伝播される配向性の乱れが突出部１２５で緩衝されることで、配向性の乱れが伝播されにくくなり、配向性が乱されにくくなる。【選択図】図４
2012155169.tif 000002
【特許請求の範囲】
【請求項１】
第１遮光部と画素電極とを備える第１基板と、
前記第１基板と対向し、第２遮光部を備える第２基板と、
前記第１基板と前記第２基板とに挟持された液晶層と、
を備え、
前記第１基板は、前記画素電極に対応して設けられたトランジスターと前記液晶層の液晶分子を第１方向に配向する第１配向膜とを含み、
前記第２基板は、前記液晶層の液晶分子を前記第１方向と交差する第２方向に配向する第２配向膜を含み、
前記画素電極は、前記画素電極の隅部において、前記第１方向に沿う一辺から平面視で前記第２方向に突出する突出部を備え、
前記画素電極と前記トランジスターとを電気的に接続するためのコンタクトホールおよび前記突出部は、平面視で少なくとも前記第１遮光部または前記第２遮光部における前記第１方向に延在する遮光部と前記第２方向に延在する遮光部との交差領域と重なり、
前記コンタクトホールの少なくとも一部は前記突出部と平面視で重なることを特徴とする液晶装置。
【請求項２】
請求項１に記載の液晶装置であって、
前記突出部は、前記液晶層の液晶分子の前記第１基板側のプレチルトの立ち上がり方向と反対側の前記画素電極の隅部において、前記液晶層の液晶分子の前記第２基板側のプレチルトの立ち上がり方向に向かって突出するように配置したことを特徴とする液晶装置。
【請求項３】
請求項１または２に記載の液晶装置であって、前記画素電極は、前記第１方向の起点側の前記一辺において前記突出部と対向する側に切り欠き部を備えていることを特徴とする液晶装置。
【請求項４】
請求項１〜３のいずれか一項に記載の液晶装置であって、前記コンタクトホールは前記第１基板の平面視で、前記突出部内に収められていることを特徴とする液晶装置。
【請求項５】
請求項１〜４のいずれか一項に記載の液晶装置を備えることを特徴とする電子機器。
【発明の詳細な説明】
【技術分野】
【０００１】
本発明は、液晶装置並びに電子機器に関する。
【背景技術】
【０００２】
プロジェクターや直視型の液晶装置として、液晶を用いた液晶装置を光制御用に備えたものが使われている。特に、ＴＮ液晶を用いた液晶装置は明るく、かつ製造コスト的にも優れている。
液晶を備えた液晶装置では、液晶層に対して厚み方向（縦方向）に電界が与えられることで配向性が制御される。つまり、各々の画素電極に対して電圧をかけることで各々の画素電極に対して光透過率が制御される。つまり、画像が表示される。この電界を以降縦電界とも呼ぶ。
一方、隣り合う画素電極間で、互いに異なる光透過率を与えた場合、厚み方向と交差する方向（横方向）に電界が発生する。この電界を以降横電界とも呼ぶ。そして、この横電界により、液晶の配向性に乱れが生じ、画質が低下する場合がある。
【０００３】
また、液晶の電位を制御する画素電極に電位を与えるコンタクトホールでは、段差があるため配向性が乱れている。そのためコンタクトホールは通常ブラックマトリックス等により隠されているが、この場合でもコンタクトホールの配向性の乱れと横電界との組み合わせにより、画素電極内での画像表示を行う領域まで液晶の配向性に乱れが生じ、画質が低下する場合がある。
この配向性の乱れを抑制するために、例えば特許文献１に示すように、コンタクトホールやその周辺に段差を設けることで、液晶の配向性の乱れを抑制する技術が公知である。
【先行技術文献】
【特許文献】
【０００４】
【特許文献１】特開２００５−２７４６６８号公報
【発明の概要】
【発明が解決しようとする課題】
【０００５】
しかしながら、段差を制御するには製造プロセスを追加する必要があり、液晶を用いた場合の長所となる製造コストに対して不利になるという課題があった。また、段差を制御する工程を増やすことで、歩留まりが低下するという課題があった。また段差を作るプロセスでは、段差の部分で配向が乱れ、黒表示状態でも光が漏れ出てしまうという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例にかかる液晶装置は、第１遮光部と画素電極とを備える第１基板と、前記第１基板と対向し、第２遮光部を備える第２基板と、前記第１基板と前記第２基板とに挟持された液晶層と、を備え、前記第１基板は、前記画素電極に対応して設けられたトランジスターと前記液晶層の液晶分子を第１方向に配向する第１配向膜とを含み、前記第２基板は、前記液晶層の液晶分子を前記第１方向と交差する第２方向に配向する第２配向膜を含み、前記画素電極は、前記画素電極の隅部において、前記第１方向に沿う一辺から平面視で前記第２方向に突出する突出部を備え、前記画素電極と前記トランジスターとを電気的に接続するためのコンタクトホールおよび前記突出部は、平面視で少なくとも前記第１遮光部または前記第２遮光部における前記第１方向に延在する遮光部と前記第２方向に延在する遮光部との交差領域と重なり、前記コンタクトホールの少なくとも一部は前記突出部と平面視で重なることを特徴とする。
【０００８】
これによれば、画素電極の配向性を揃えることが可能となる。詳細な機構については不明であるが、突出部を形成し、かつコンタクトホールの少なくとも一部をこの突出部と重ねることで、突出部がコンタクトホールでの配向性の乱れを緩衝するので配向性の乱れを抑えるものと推測している。なお、この機構はあくまで推定であり、機構の解釈は異なっている場合もありうるが、突出部を形成し、かつコンタクトホールの少なくとも一部を突出部と重ねることで実験的には配向性が揃うことを確認している。
【０００９】
［適用例２］上記適用例にかかる液晶装置であって、前記突出部は、前記液晶層の液晶分子の前記第１基板側のプレチルトの立ち上がり方向と反対側の前記画素電極の隅部において、前記液晶層の液晶分子の前記第２基板側のプレチルトの立ち上がり方向に向かって突出するように配置したことを特徴とする。
【００１０】
上記した適用例によれば、このように突出部を形成することで、配向方向を揃えることが可能となり、より均一性に優れた光制御を行うことが可能となる。
【００１１】
［適用例３］上記適用例にかかる液晶装置であって、前記突出部を前記第２方向の終点側に向かって突出するように配置したことを特徴とする。
【００１２】
上記した適用例によれば、このように突出部を形成することで、配向方向を揃えることが可能となり、より均一性に優れた光制御を行うことが可能となる。
【００１３】
［適用例４］上記適用例にかかる液晶装置であって、前記コンタクトホールは前記第１基板の平面視で、前記突出部内に収められていることを特徴とする。
【００１４】
上記した適用例によれば、このようにコンタクトホールを形成することで、配向性に劣るコンタクトホールと画素電極とを離すことができる。そのため、コンタクトホールの配向性の乱れの画素電極への伝播を抑制することが可能となる。
【００１５】
［適用例５］本適用例にかかる電子機器は、上記した液晶装置を備えることを特徴とする。
【００１６】
上記した液晶装置は、配向性の乱れが従来の液晶を用いた場合と比べ少ない。そのため、高い画像品質を持った電子機器を提供することが可能となる。
【図面の簡単な説明】
【００１７】
【図１】（ａ）は、液晶装置を構成を示す平面図、（ｂ）は、液晶装置のＡ−Ａ’線断面図、（ｃ）と（ｄ）は、画素電極の平面図。
【図２】液晶装置の電気的な構成を示す等価回路図。
【図３】ＴＦＴアレイ基板の概略断面図。
【図４】ツイスト方向と画素電極の形状および配置について説明するための模式平面図。
【図５】ツイスト方向と画素電極の形状および配置について説明するための模式平面図。
【図６】（ａ），（ｂ）は、ＴＦＴアレイ基板の平面視で突出部内にコンタクトホールを収めた場合の平面図。
【図７】従来型の構成を取った場合の配向性の乱れと、本実施形態を適用した場合の配向性の乱れを示すマップ。
【図８】（ａ）〜（ｃ）は液晶装置を搭載した電子機器について説明するための斜視図。
【発明を実施するための形態】
【００１８】
以下、本発明を具体化した実施形態を図面に基づいて説明する。なお、以下に示す図面の縮尺は、説明の都合に合わせて適宜変更して記載している。
【００１９】
（液晶装置の構成）
図１（ａ）は、液晶装置の構成を示す平面図、図１（ｂ）は、液晶装置の図１（ａ）でのＡ−Ａ’線断面図、図１（ｃ）と（ｄ）は、画素電極の平面図である。液晶装置２００は、表示部１００とフレキシブルプリント基板（ＦＰＣ）１６０を備えている。そして、液晶装置２００には、例えば黒再現性に優れ、かつ低コスト化が図れるＴＮ液晶を用いることが好適である。
表示部１００は、第１基板としてのＴＦＴアレイ基板１２０と第２基板としての対向基板１４０とを対向させて設けられている。そしてＴＦＴアレイ基板１２０と対向基板１４０との間には液晶層１３０が挟持されている。
なお、図１（ａ）では、ＴＦＴアレイ基板１２０は対向基板１４０の影になり、隠れることとなるが、引き出し線の一部を点線として記載している。
【００２０】
図１（ｂ）に示すように、ＴＦＴアレイ基板１２０は、対向基板１４０側の面に、ＴＦＴアレイ基板本体１２０ａ、画素電極１２１Ｒ，１２１Ｇ，１２１Ｂ、第１配向膜１２２を備えている。なお、図１（ｂ）では、ＴＦＴアレイ基板１２０を図面下側、対向基板１４０を図面上側として図示している。この場合光Ｌは偏光方向を変えながら対向基板１４０側からＴＦＴアレイ基板１２０に向かう方向に抜けることとなる。
【００２１】
ＴＦＴアレイ基板本体１２０ａは、各々島状に分離された複数の画素電極１２１Ｒ，１２１Ｇ，１２１Ｂ、第１配向膜１２２を支えている。
画素電極１２１Ｒ，１２１Ｇ，１２１Ｂは、対向電極１４２との間での液晶層１３０の厚み方向での電位差を制御することで、液晶層１３０の配向を制御し光透過率を制御している。
第１配向膜１２２は、ＴＦＴアレイ基板１２０側の面に、液晶層１３０が第１方向としての配向方向をとるよう制御している。なお、ＴＦＴアレイ基板１２０が備える第１遮光部１２７（図３参照）については後述する（ＴＦＴアレイ基板の構成）で説明する。
【００２２】
対向基板１４０は、対向基板本体１４０ａ、カラーフィルター１４１Ｒ，１４１Ｇ，１４１Ｂ、第２遮光部としてのブラックマトリックスＢＭ、対向電極１４２、第２配向膜１４３を備えている。
対向基板本体１４０ａは、カラーフィルター１４１Ｒ，１４１Ｇ，１４１Ｂ、第２遮光部としてのブラックマトリックスＢＭ、対向電極１４２、第２配向膜１４３を支えている。
カラーフィルター１４１Ｒ，１４１Ｇ，１４１Ｂは、画素電極１２１Ｒ，１２１Ｇ，１２１Ｂにより光強度が制御された光のうち、カラー表示が行われるよう、各々の色表示に合った波長の光を通す機能を備えている。
ブラックマトリックスＢＭは、例えば表示に不要な部分や、表示することで画質を落としてしまう部分を隠し、画質を高める機能を備えている。
対向電極１４２は、画素電極１２１Ｒ，１２１Ｇ，１２１Ｂに対してと対向する位置にあり、基準となる電位を提供することで、液晶層１３０の配向を制御し光透過率を制御している。
第２配向膜１４３は、液晶層１３０が第２方向としての配向方向をとるよう制御している。
【００２３】
そして、図１（ｃ），（ｄ）に示すように、第１配向膜１２２の配向方向１２２ａの起点側（図面では、下側に対応する）に備えられ、第２配向膜１４３の配向方向の起点側または終点側のいずれかの方向に揃えて各々同じ向きに、画素電極１２１の片側を拡張した突出部１２５を含む。そして、コンタクトホール１８は突出部１２５の少なくとも一部と重なる位置に配置されている。コンタクトホール１８は各々の画素電極１２１の電位を制御するために備えられている。コンタクトホール１８を介した画素電極１２１の電位制御には、後述するトランジスターとしてのＴＦＴ素子９が用いられる。ＴＦＴ素子９は、例えばガラス基板を覆う半導体層をパターニングし、ゲート酸化膜形成、ゲート電極形成、ＬＤＤイオン注入、ソース・ドレインイオン注入を行うことで形成される。そして、後述するように、ＴＦＴ素子９のソースには時間的に変動する電圧が加えられる。そして、ゲートに走査信号が送られてきたときに、ゲート下の半導体層（チャネル）が導通しソースのその時点でのソースの電圧をドレインに送る。そして走査信号が停止した状態では、ドレインはサンプリングパルス中にソースから伝えられた電位を、次の走査信号が来るまで保持している。ＴＦＴ素子９をマトリックス状に展開して、画素を形成する構造については後述する。
【００２４】
また、画素電極１２１は、画素電極１２１における配向方向の起点側（図面下側）に位置し、突出部１２５と向き合う領域を切り欠いた平面形状を有する切り欠き部１２６を備えている。
コンタクトホール１８での液晶層１３０の挙動については、後述する（ＴＦＴアレイ基板の構成）で説明する。なお、切り欠き部１２６を備えていることは必須ではなく、矩形状の構造（点線で示す）を備えていても良い。
上記したように、コンタクトホール１８の少なくとも一部を突出部１２５に収めることで、突出部１２５が無い場合に比べて配向性の乱れを低く抑えることができる。
なお、表示部１００を挟む偏光板等については、図示を省略している。
【００２５】
（電気的な駆動方法：横電界の発生機構）
次に、液晶装置２００の画素電極１２１Ｒ，１２１Ｇ，１２１Ｂの電位を制御する電気的な構成について説明する。続けて、隣り合う画素電極１２１間での電界（横電界）発生機構について説明する。図２は、液晶装置の電気的な構成を示す等価回路図である。
【００２６】
液晶装置２００の表示部１００には、複数の画素６０がマトリックス状に配置されていると共に、複数のデータ線５及び複数の走査線６が格子状に配置されている。
【００２７】
画素６０は、それぞれ異なる色、例えば一点鎖線領域に示すようにＲ、Ｇ、Ｂの各色の光を出力する３つのサブ画素６１を有している。画素６０を構成するＲ、Ｇ、Ｂ３色の各サブ画素６１は、一方向（本例では走査線６の延在方向）に沿ってこの順に配置されている。
【００２８】
各サブ画素６１は、画素電極１２１と、画素電極１２１をスイッチング制御するためのＴＦＴ素子９と、を備えている。ＴＦＴ素子９において、ソース９ｓは、データ線５と電気的に接続され、またゲート電極９ｇは、走査線６と電気的に接続され、さらに、ドレイン９ｄは配線７０を介して画素電極１２１と電気的に接続されている。なお、以降の説明では、色情報を重視することはないので、画素電極１２１Ｒ，１２１Ｇ，１２１Ｂを画素電極１２１で代表させる。
ＴＦＴ素子９は、例えばガラス基板を覆う半導体層をパターニングし、ゲート酸化膜形成、ゲート電極形成、ＬＤＤイオン注入、ソース・ドレインイオン注入を行うことで形成される。そして、後述するように、ソースには時間的に変動する電圧が加えられる。
【００２９】
各データ線５は、データ線駆動回路１０より供給される画像信号Ｓ１、Ｓ２、…、Ｓｎをサブ画素６１に供給する。この画像信号Ｓ１、Ｓ２、…、Ｓｎは、この順に線順次に供給しても構わないし、或いは、隣り合うデータ線５同士に対して、グループ毎に供給するようにしても良い。各走査線６は、走査線駆動回路１１より供給される走査信号Ｇ１、Ｇ２、…、Ｇｍをサブ画素６１に供給する。また、この走査信号Ｇ１、Ｇ２、…、Ｇｍは、走査線６に所定のタイミングでパルス的に、この順に線順次で印加される。
【００３０】
以上の構成によれば、画素電極１２１を介して液晶層１３０に書き込まれた画像信号Ｓ１、Ｓ２、…、Ｓｎは、対向基板１４０が備える対向電極１４２（図１（ｂ）参照）との間で一定期間保持される。これにより、液晶層１３０の表示状態が、非表示状態または中間表示状態に切り替えられ、液晶層１３０内の液晶分子１３０ａ（図４参照）の配向状態が制御されることとなる。これにより、表示部１００内において所望のカラー画像を表示することができる。
【００３１】
また、対向電極１４２は、通例７Ｖ程度の一定電位を保っており、画素電極１２１に加えられる電圧は、この電圧に対して最大振幅が例えば±５Ｖ程度の交流駆動を行っている。このように交流駆動を行うことで、不純物イオンが溜まることで生じる、焼き付き現象の発生を抑えることができる。
【００３２】
ここで、隣り合う画素電極１２１間で、輝度が異なる表示をした場合、画素電極１２１と対向電極１４２との間での電界に加え、隣り合う画素電極１２１の間に電界（横電界）が発生することとなる。この電界と、後述するコンタクトホール１８での配向性の乱れにより、画素電極１２１により駆動される液晶層１３０の配向状態が影響を受け、画質が低下する場合がある。例えば、画像信号Ｓ１と走査信号Ｇ１とにより画素電極１２１Ｒが１２Ｖに設定され、画像信号Ｓ２と走査信号Ｇ１とにより画素電極１２１Ｇが７Ｖに設定された場合、画素電極１２１Ｇと画素電極１２１Ｒとの電位差は５Ｖとなる。この電位差は、縦方向の駆動電圧に起因する電位差と同等の値を持つ。
この電位差に起因する横電界により配向が乱れ、画素電極１２１Ｒの黒表示が浮くと共に、画素電極１２１Ｇの白表示が暗くなる場合がある。この配向性の乱れは、詳細な機構は未だ不明な部分があるが、コンタクトホール１８（図３参照）での配向性の乱れと横電界に依存するものと推測している。例えば、コンタクトホール１８での配向性の乱れを突出部１２５で緩衝しているような機構が考えられる。
【００３３】
（ＴＦＴアレイ基板の構成）
図３は、ＴＦＴアレイ基板の概略断面図である。ＴＦＴアレイ基板１２０は、ＴＦＴ素子９、データ線５、ドレイン９ｄ、中継線１５、中継線１６、中継線１７（中継線１５、中継線１６、中継線１７は図２におけるドレイン配線７０に相当する）、コンタクトホール１８、画素電極１２１、第１配向膜１２２を備える。図３に描いた領域は、（電気的な駆動方法）で示した一つのサブ画素６１に相当する。
【００３４】
ＴＦＴアレイ基板１２０の断面構造はかなり複雑であるため、本実施形態に関わる、画素電極１２１に電位を伝える部分と、コンタクトホール１８に関する部分について主に説明する。即ち（電気的な駆動方法）で説明した部分について主として説明する。ここで、ＴＦＴ素子９は、ソース９ｓ、ゲート電極９ｇ、ドレイン９ｄを備えている。ＴＦＴ素子９は、下側遮光膜２０（上記した説明では走査線６を兼ねる）を含めて第１遮光部１２７として用いている。
データ線５に与えられた制御電位は、ソース９ｓに伝えられる。そして、ゲート電極９ｇに走査線駆動回路１１（図２参照）から選択信号が送られたときに、ＴＦＴ素子９のチャネルが開き、ソース９ｓの電位がドレイン９ｄに伝達される。なお、図中矢印（→）は、電荷の移動方向を示している。ここで、ソース９ｓの電位条件によっては、電荷の移動方向が反転する場合がある。
【００３５】
ドレイン９ｄに伝えられた電位は、中継線１５、中継線１６、中継線１７を通ってコンタクトホール１８に伝わり、コンタクトホール１８を介して画素電極１２１に電位が伝達される。そして、第１配向膜１２２の配向方向に従って液晶層１３０（図１参照）の配向状態を制御する。
【００３６】
コンタクトホール１８は、他の部分と比べ窪んでおり、この領域に位置する液晶層１３０（図１参照）は、この窪みにより配向性が乱された状態となっている。そのためコントラスト比を向上させるために、コンタクトホール１８は、ＴＦＴアレイ基板１２０の平面視で、ＴＦＴアレイ基板１２０に用いられるアルミニウム合金等の遮光部材による第１遮光部１２７または対向基板１４０（図１参照）のブラックマトリックスＢＭと重なる場所に形成されている。
【００３７】
（ツイスト方向と画素電極形状との関係）
以下、図４、図５を用いて液晶分子１３０ａのツイスト方向と画素電極１２１との関係について説明する。図４、図５はツイスト方向と画素電極の形状および配置について説明するための模式平面図である。なお、図４、図５においては、対向基板１４０を通してＴＦＴアレイ基板１２０を見る方向で図示している。なお、ＴＦＴアレイ基板１２０は対向基板１４０の裏側にくるため、引き出し線を一部点線で示している。
図４、図５に示すように、第１配向膜１２２の配向方向１２２ａがＦＰＣ１６０から、表示部１００に向かう方向に配向している場合（即ち、第１配向膜１２２に対して、液晶分子１３０ａの立ち上がり方向と反対側を向いている場合）、突出部１２５は液晶分子１３０ａのプレチルトの立ち上がり方向と反対側となる画素電極１２１の隅部に設けられることが好適である。
換言すれば、突出部１２５を配向方向１２２ａの起点となるＦＰＣ１６０側に備えることが好ましい。
【００３８】
そして、ＦＰＣ１６０から、表示部１００に向かう方向（この場合ではＴＦＴアレイ基板１２０の配向方向）をＹ＋（上）方向、逆方向をＹ−（下）方向とする。そして、対向基板１４０側から、ＴＦＴアレイ基板１２０（共に図１（ｂ）参照）を見る向きに対して、対向基板１４０の平面視で上方向と直交し、右側に向かう方向をＸ＋（右）方向とし、左側に向かう方向をＸ−（左）方向として方向を定義する。
【００３９】
このように方向を定義すると、図４に示すように液晶分子１３０ａが右ツイスト（右側に向かう方向に回転していく）を取る場合、画素電極１２１は、図示下側（Ｙ−方向側）に位置し、右側（Ｘ＋方向側）を広げた突出部１２５を備えるとともに、突出部１２５とコンタクトホール１８とをＴＦＴアレイ基板１２０の平面視で一部を重ねることで、配向性の乱れを抑えることが可能となる。ここで、第２配向膜１４３の配向方向１４３ａを図示左から右（Ｘ−からＸ＋）方向に取った場合、液晶分子１３０ａが右ツイストを取る。換言すれば、突出部１２５は第２配向膜１４３の配向方向１４３ａの終点側に揃えて配置し、ＴＦＴアレイ基板１２０の平面視でコンタクトホール１８を少なくとも一部を突出部１２５内に収めることが好適となり、配向性の乱れを抑制できる。
なお、コンタクトホール１８や、突出部１２５は第１遮光部１２７またはブラックマトリックスＢＭと重なるため、本来は見えないが、説明の都合上半透過させた状態で図示している。
【００４０】
また、同様に方向を定義すると、図５に示すように液晶分子１３０ａが左ツイスト（左側に向かう方向に回転していく）を取る場合、画素電極１２１は、図示下側（Ｙ−方向）に位置し、左側（Ｘ−方向）を広げた突出部１２５を備えるとともに、突出部１２５とコンタクトホール１８とをＴＦＴアレイ基板１２０の平面視で一部を重ねることで、同様に配向性の乱れを抑えることが可能となる。ここで、第２配向膜１４３の配向方向１４３ａを右→左に取った場合、液晶分子１３０ａが左ツイストを取る。換言すれば、突出部１２５は第２配向膜１４３の配向方向１４３ａの終点側に揃えて配置すると共にＴＦＴアレイ基板１２０の平面視でコンタクトホール１８を少なくとも一部を突出部１２５内に収めることが好適となり、配向性の乱れを抑制できる。
【００４１】
まとめると、対向基板１４０を通してＴＦＴアレイ基板１２０を見る方向で見て、突出部１２５を第２配向膜１４３の配向方向１４３ａの終点側に揃えて配置し、かつＴＦＴアレイ基板１２０の平面視でコンタクトホール１８を少なくとも一部を突出部１２５内に収めることが好適となる。即ち、第２配向膜１４３の配向方向１４３ａに対してプレチルトの立ち上がり方向に沿って、突出部１２５を形成することが、配向性を揃えるために好適である。
【００４２】
図６（ａ），（ｂ）は、ＴＦＴアレイ基板の平面視で突出部内にコンタクトホールを収めた場合の平面図である。図６（ａ），（ｂ）に示すように、ＴＦＴアレイ基板１２０の平面視で突出部１２５内にコンタクトホール１８を収めることも好適である。
この場合、液晶分子１３０ａ（図４参照）の配向方向を乱すコンタクトホール１８を含む領域は、画素電極１２１から離されることとなる。そのため、コンタクトホール１８を含む領域における配向性の乱れが画素電極１２１へ伝播することを抑制することが可能となる。ここで、図６（ａ）では、液晶分子１３０ａ（図４参照）が右ツイスト（右側に向かう方向に回転していく）を取る場合について図示している。
図６（ａ）は、図４の、点線により結ばれた画素電極１２１を含む平面図と、交換可能な平面形状を備えた平面図を図示している。そして、図６（ｂ）は、図５の、点線により結ばれた画素電極１２１を含む平面図と、交換可能な平面形状を備えた平面図を図示している。
【００４３】
また、図４〜図６では、画素電極１２１は、突出部１２５と向き合う領域に切り欠き部１２６を備えている。このようにすることで、突出部１２５を形成しても隣り合う画素電極１２１との電気的ショートを防いで画素電極１２１同士を近づけて配置することができる。そのため、精細度を保った状態で配向性の乱れを抑えることが可能となる。
【００４４】
以下、画素電極１２１に突出部１２５を設け、突出部１２５の少なくとも一部にコンタクトホール１８をＴＦＴアレイ基板１２０の平面視で重ねた場合における配向方向の乱れ具合について測定した実験結果について示す。図７は従来型の構成を取った場合の配向性の乱れと、本実施形態を適用した場合の配向性の乱れを示すマップである。
ほぼ中央を分岐として、配向の乱れ方は大きく異なっていることが示される。紙面左側の図（（ａ）側）は本実施形態を適用した場合の配向状態を示すものであり、紙面右側（（ｂ）側）は、従来型の構成を取った場合の配向状態を示している。なお、この試料は、プロセス条件等による変動を避けるため、同一基板の左右でマスクパターンを作り分けて製造しているので、他の要因による配向性の乱れの影響は実用上無いものと考えられる。
図７（ａ）側は、配向性の乱れは殆ど観察されていない。即ち、ムラが少ない。対して図７（ｂ）側は、配向性の乱れがあり、明るく見える輝点がかなりの密度で見受けられる。この実験結果から、本実施形態を適用することで配向性の乱れを抑える効果があることが示される。
【００４５】
詳細な機構については不明であるが、突出部１２５を形成し、かつコンタクトホール１８の少なくとも一部を突出部１２５と重ねることで、コンタクトホール１８での配向性の乱れを突出部１２５が緩衝することで、配向性の乱れを抑えるものと推測している。
【００４６】
上記した液晶装置は、以下の効果を奏する。
【００４７】
従来技術では、コンタクトホールやその周辺に段差を設けることで配向性の乱れを抑えていたため、製造工程が増え液晶装置の製造コストが高額なものとなるが、本実施形態を適用した場合、図４、図５に示すように画素電極１２１のパターンを変えるだけでよいため、製造工程の増加なしで液晶層１３０の乱れを抑えることができるため、液晶装置のコストメリットを保ちつつ画像品位を向上させることができる。
【００４８】
図４、図５に示すように、画素電極１２１のパターンを変えるだけで良いので、製造条件の最適化等を必要とせず、そのまま商品とできるため、開発期間も短縮できる。加えて、製造工程を増やさないことから、歩留まりを落とす要因がない。そのため、歩留まりを保った状態で画像品位を向上させることができる。
【００４９】
図４、図５に示すように、ＴＦＴアレイ基板１２０の平面視で、コンタクトホール１８と突出部１２５とを、ＴＦＴアレイ基板１２０が備える第１遮光部１２７または対向基板１４０のブラックマトリックスＢＭの影の内部に収めるため、配向性が乱れているコンタクトホール１８、及びその影響を受けている突出部１２５からの光の漏れは隠されるため、画像品位を落とさずに、配向性の乱れを抑えることができる。
【００５０】
図４、図５、図６に示すように、ＴＦＴアレイ基板１２０の平面視で、コンタクトホール１８を突出部１２５に収めることで、コンタクトホール１８は画素電極１２１の略矩形の部分から離れることとなる。そのため、より確実に配向性の乱れを抑制することができる。
【００５１】
図４、図５に示すように、切り欠き部１２６を備えることで、隣り合う画素電極１２１を、突出部１２５を形成した場合においても近接して配置できることから、画素電極１２１の集積度を落とさずに配向性の乱れを抑制することができる。
【００５２】
図４に示すように、第２配向膜１４３の配向方向１４３ａを紙面左から右に配向させることで、液晶層１３０が右ツイスト（液晶分子１３０ａが右回り）となる。この場合、突出部１２５を図面右側（第２配向膜１４３の配向方向１４３ａの終点側）に揃えて配置し、ＴＦＴアレイ基板１２０の平面視でコンタクトホール１８を少なくとも一部を突出部１２５内に収めることが好適となり、配向性の乱れを抑制できる。
同様に左ツイストの場合には、図５に示すように、突出部１２５を図面左側（第２配向膜１４３の配向方向１４３ａの終点側）に置くことで配向性の乱れを抑制できる。
換言すれば、突出部１２５は第２配向膜１４３の配向方向１４３ａの終点側に揃えて配置し、ＴＦＴアレイ基板１２０の平面視でコンタクトホール１８を少なくとも一部を突出部１２５内に収めることが好適となる。
【００５３】
（電子機器）
以下、上記した液晶装置２００を搭載した電子機器について、図８を参照して説明する。図８（ａ）〜（ｃ）は液晶装置を搭載した電子機器について説明するための斜視図である。まず、図８（ａ）に、液晶装置２００を備えたモバイル型のパーソナルコンピューターの構成を示す。パーソナルコンピューター２０００は、液晶装置２００と本体部２０１０を備える。本体部２０１０には、電源スイッチ２００１及びキーボード２００２が設けられている。図８（ｂ）に、液晶装置２００を備えた携帯電話機の構成を示す。携帯電話機３０００は、複数の操作ボタン３００１及びスクロールボタン３００２、並びに表示ユニットとしての液晶装置２００を備える。スクロールボタン３００２を操作することによって、液晶装置２００に表示される画面がスクロールされる。図８（ｃ）に、液晶装置２００を適用した情報携帯端末（ＰＤＡ：Ｐｅｒｓｏｎａｌ  Ｄｉｇｉｔａｌ  Ａｓｓｉｓｔａｎｔｓ）の構成を示す。情報携帯端末４０００は、複数の操作ボタン４００１及び電源スイッチ４００２、並びに表示ユニットとしての液晶装置２００を備える。電源スイッチ４００２を操作すると、住所録やスケジュール帳といった各種の情報が液晶装置２００に表示される。
【００５４】
なお、液晶装置２００が搭載される電子機器としては、図８に示すものの他、デジタルスチールカメラ、液晶テレビ、ビューファインダー型、モニター直視型のブルーレイレコーダー、カーナビゲーション装置、ページャー、電子手帳、電卓、ワードプロセッサー、ワークステーション、テレビ電話、ＰＯＳ端末、タッチパネルを備えた機器などが挙げられる。そして、これらの各種電子機器の表示部として、液晶装置２００が適用可能である。
なお、ここまで直視型の電子ビューファインダーを例にとって説明したが、これはプロジェクター等にも応用可能である。具体的には、ブラックマトリックスを残し、画素電極を略正方形にすることで対応できる。カラー化は、主に液晶装置２００の外部で、ダイクロイックミラー等を用いて単色化されるので、カラーフィルター１４１Ｒ，１４１Ｇ，１４１Ｂ（図１参照）は不要となる。
【００５５】
本実施形態における電子機器は、上述した実施形態の効果に加え、以下の効果を奏する。
【００５６】
廉価で、しかも配向性の乱れが従来のモード液晶を用いた場合と比べ少ない液晶装置を用いることで、廉価で、かつ高い画像品質を持った電子機器を提供することが可能となる。
【符号の説明】
【００５７】
ＢＭ…ブラックマトリックス、Ｌ…光、５…データ線、６…走査線、９…ＴＦＴ素子、９ｄ…ドレイン、９ｇ…ゲート電極、９ｓ…ソース、１０…データ線駆動回路、１１…走査線駆動回路、１５…中継線、１６…中継線、１７…中継線、１８…コンタクトホール、２０…下側遮光層、６０…画素、６１…サブ画素、７０…ドレイン配線、１００…表示部、１２０…ＴＦＴアレイ基板、１２０ａ…ＴＦＴアレイ基板本体、１２１…画素電極、１２１Ｂ…画素電極、１２１Ｇ…画素電極、１２１Ｒ…画素電極、１２２…第１配向膜、１２２ａ…配向方向、１２５…突出部、１２６…切り欠き部、１２７…第１遮光部、１３０…液晶層、１３０ａ…液晶分子、１４０…対向基板、１４０ａ…対向基板本体、１４１Ｂ…カラーフィルター、１４１Ｇ…カラーフィルター、１４１Ｒ…カラーフィルター、１４２…対向電極、１４３…第２配向膜、１４３ａ…配向方向、１６０…ＦＰＣ、２００…液晶装置、２０００…パーソナルコンピューター、２００１…電源スイッチ、２００２…キーボード、２０１０…本体部、３０００…携帯電話機、３００１…操作ボタン、３００２…スクロールボタン、４０００…情報携帯端末、４００１…操作ボタン、４００２…電源スイッチ。
【図１】
2012155169.tif 000003
【図２】
2012155169.tif 000004
【図３】
2012155169.tif 000005
【図４】
2012155169.tif 000006
【図５】
2012155169.tif 000007
【図６】
2012155169.tif 000008
【図８】
2012155169.tif 000009
【図７】
2012155169.tif 000010